(57)【要約】【課題】第１可動壁A6及び第２可動壁A7で第１収容室R1を区画し、第２可動壁A7上方に第２収容室R2を区画し、第１可動壁A6の押し込み時に第２可動壁A7外周を介して第１収容室内と第２収容室R2内とが連通する連通凹部13を第２収容室R2内周に凹設した二室容器Ａに対し、それらを使用時に簡単な操作で装着して混合し、また、混合後は簡単に離脱させて混合剤が収容された容器として使用することができる混合装置を提案する。【解決手段】  少なくとも上端部を突出した状態の二室容器Ａを離脱が可能に且つ上方への抜け出しを防止すべく係止して上部に嵌合させた筒状基体B2を台座B1上に回転可能に起立させ、台座B1に対する筒状基体B2の相対回転により駆動する内蔵昇降機構によって上下動可能に内蔵された押圧体B3が上昇し、押圧体B3の先端により第１可動壁A6を押し上げて各収容室内の二剤を混合する如く構成した。【選択図】図１
2010254357.tif 000002
【特許請求の範囲】
【請求項１】
第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、少なくとも上端部を突出した状態の二室容器Ａを離脱が可能に且つ上方への抜け出しを防止すべく係止して上部に嵌合させた筒状基体B2を台座B1上に回転可能に起立させ、台座B1に対する筒状基体B2の相対回転により駆動する内蔵昇降機構によって上下動可能に内蔵された押圧体B3が上昇し、押圧体B3の先端により第１可動壁A6を押し上げて各収容室内の二剤を混合する如く構成したことを特徴とする二室容器の混合装置。
【請求項２】
第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、縦切溝55を縦設した案内筒54を上面より起立した台座B1と、案内筒54外周の台座B1上に回転可能に起立させるとともに、少なくとも上端部を突出した状態の二室容器Ａを離脱が可能に且つ上方への抜け出しを防止すべく係止して上部に嵌合させた筒状基体B2と、案内筒54内に上下動可能に装着した押圧体B3とを備え、筒状基体B2の縦切溝55対応位置に螺旋溝62を凹設し、押圧体B3の外周より突設した摺動突部80の先端を縦切溝55を介して螺旋溝62に嵌合させ、台座B1と筒状基体B2との相対回転により上昇する押圧体B3の先端により第１可動壁A6を押し上げて各収容室内の二剤を混合する如く構成したことを特徴とする二室容器の混合装置。
【請求項３】
筒状基体B2の上部周壁部70の上端より、二室容器Ａの外周下部に突設した係合突起14が挿通可能な挿通路71を設け、該挿通路71に連続する下向き段部73を上部周壁部70内側に設け、挿通路71の上端より挿通した係合突起14を、二室容器Ａの上方への抜け出しを防止すべく下向き段部73に係止し、上部周壁部70に対する相対回転により係合突起14を挿通路71位置に回動することで二室容器Ａを離脱が可能に構成した請求項２記載の二室容器の混合装置。
【発明の詳細な説明】
【技術分野】
【０００１】
本発明は二室容器の混合装置に関する。
【背景技術】
【０００２】
内部に注射液の成分が隔離状態で保たれ、外部からの作用により一緒にして混合しかつ溶解させることができるように構成された注射液成分用の容器を備えた注射装置が提案されている。（例えば、特許文献１参照）
【０００３】
前記容器は前端部が貫通可能な膜によりシールされ、貫通可能な膜と前側可動壁部材との間のスペース内に注射液の固形成分を収納し、また前側可動壁部材と後側可動壁部材との間のスペース内に注射液の液体成分を収納し、更に管状壁部に後側可動壁部材を液体及び前側可動壁部材と共に移動するときに液体成分が前側可動壁部材を越えて流通して固形成分と混合するための連絡通路を備えている。
【０００４】
また、上記注射装置は、注射液の成分を一緒にして混合するように内部に容器を固定することができるホルダー手段を備えている。このホルダー手段は容器の外周に二重筒状に設けた管状部材と、該管状部材内周に先端部外周を螺合させた管状部材との２個の管状部材により構成され、一方の管状部材をねじ込んだ際に容器の後部の後側可動壁部材が液体および前側可動壁部材と一緒に前方に移動され、それにより液体が連絡通路を通って固形成分のスペースに流入して液体を固形成分と混合して溶液を調整するような押圧機構を備えている。
【先行技術文献】
【特許文献】
【０００５】
【特許文献１】特公平０６−６１３６１号公報
【発明の概要】
【発明が解決しようとする課題】
【０００６】
上記装置は成分を非常に静かにかつ安全に混合することができる優れたものであるが、上記ホルダー手段及び押圧機構を容器と一体に組み入れているため、容器に対してこれらの構造を各々設けていなくてはならず、構造が複雑となるとともに、不経済でもある。
【０００７】
本発明では、上記従来例の如く、第１可動壁及び第２可動壁で区画された第１収容室と、第２可動壁上方に区画された第２収容室とを備え、第１可動壁の押し込み時に第２可動壁外周を介して第１収容室内と第２収容室内とが連通する連通凹部を第２収容室内周に凹設した二室容器に対し、それらを使用時に簡単な操作で装着して混合し、また、混合後は簡単に離脱させて混合剤が収容された容器として使用することができる混合装置を提案する。
【課題を解決するための手段】
【０００８】
第１の手段として、以下の通り構成した。即ち、第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、少なくとも上端部を突出した状態の二室容器Ａを離脱が可能に且つ上方への抜け出しを防止すべく係止して上部に嵌合させた筒状基体B2を台座B1上に回転可能に起立させ、台座B1に対する筒状基体B2の相対回転により駆動する内蔵昇降機構によって上下動可能に内蔵された押圧体B3が上昇し、押圧体B3の先端により第１可動壁A6を押し上げて各収容室内の二剤を混合する如く構成した。                                    
【０００９】
第２の手段として、以下の通り構成した。即ち、第１可動壁A6及び第２可動壁A7で第１収容室R1を区画するとともに、第２可動壁A7上方に第２収容室R2を区画し、第１可動壁A6の押し込み時に第２可動壁A7外周を介して第１収容室R1内と第２収容室R2内とが連通する連通凹部13を第２収容室R2内周に凹設した二室容器Ａを着脱自在に装着して混合する二室容器の混合装置であって、縦切溝55を縦設した案内筒54を上面より起立した台座B1と、案内筒54外周の台座B1上に回転可能に起立させるとともに、少なくとも上端部を突出した状態の二室容器Ａを離脱が可能に且つ上方への抜け出しを防止すべく係止して上部に嵌合させた筒状基体B2と、案内筒54内に上下動可能に装着した押圧体B3とを備え、筒状基体B2の縦切溝55対応位置に螺旋溝62を凹設し、押圧体B3の外周より突設した摺動突部80の先端を縦切溝55を介して螺旋溝62に嵌合させ、台座B1と筒状基体B2との相対回転により上昇する押圧体B3の先端により第１可動壁A6を押し上げて各収容室内の二剤を混合する如く構成した。
【００１０】
第３の手段として、以下の通り構成した。即ち、前記第２の手段に於いて、筒状基体B2の上部周壁部70の上端より、二室容器Ａの外周下部に突設した係合突起14が挿通可能な挿通路71を設け、該挿通路71に連続する下向き段部73を上部周壁部70内側に設け、挿通路71の上端より挿通した係合突起14を、二室容器Ａの上方への抜け出しを防止すべく下向き段部73に係止し、上部周壁部70に対する相対回転により係合突起14を挿通路71位置に回動することで二室容器Ａを離脱が可能に構成した。
【発明の効果】
【００１１】
本発明によれば、二室容器Ａを使用する際に、簡単な操作で二室容器Ａを装着することができ、また、台座B1と筒状基体B2とを相対回転させるという簡単な操作で二剤の混合ができ、更に、混合後は簡単に外して使用に供することができるため、混合後の二室容器Ａを一つの吐出装置を利用して使用することができるので、吐出装置の構造を極力シンプル化して製造コスト、原料コストを極力低下させることができる。
【００１２】
縦切溝55を縦設した案内筒54を上面より起立した台座B1と、案内筒54外周の台座B1上に回転可能に起立させるとともに、少なくとも上端部を突出した状態の二室容器Ａを離脱が可能に且つ上方への抜け出しを防止すべく係止して上部に嵌合させた筒状基体B2と、案内筒54内に上下動可能に装着した押圧体B3とを備え、筒状基体B2の縦切溝55対応位置に螺旋溝62を凹設し、押圧体B3の外周より突設した摺動突部80の先端を縦切溝55を介して螺旋溝62に嵌合させ、台座B1と筒状基体B2との相対回転により上昇する押圧体B3の先端により第１可動壁A6を押し上げて各収容室内の二剤を混合する如く構成した場合には、例えば螺旋溝62の傾斜角度を選択することで、押圧体B3の上昇速度を選択することができるため、混合装置を製造するにあたり予め内容物の種類に対応した上昇速度の選択が容易であり、一般に遅い混合速度が好適な場合が多いこの種二室容器の混合物の場合にも、傾斜角度をできるだけ小さくすることで対応できる。
【００１３】
筒状基体B2の上部周壁部70の上端より、二室容器Ａの外周下部に突設した係合突起14が挿通可能な挿通路71を設け、該挿通路71に連続する下向き段部73を上部周壁部70内側に設け、挿通路71の上端より挿通した係合突起14を、二室容器Ａの上方への抜け出しを防止すべく下向き段部73に係止し、上部周壁部70に対する相対回転により係合突起14を挿通路71位置に回動することで二室容器Ａを離脱が可能に構成した場合には、二室容器Ａの係脱及び着脱が極めて容易となる。
【図面の簡単な説明】
【００１４】
【図１】二室容器を装着した混合装置の半断面図である。（実施例１）
【図２】台座，押圧体，下部筒状基体を示す分解斜視図である。（実施例１）
【図３】二室容器を装着した内容物混合後の混合装置の半断面図である。（実施例１）
【図４】二室容器を取り外した状態の混合装置の半断面図である。（実施例１）
【図５】二室容器装着時の混合装置の半断面図である。（実施例１）
【発明を実施するための形態】
【００１５】
以下、本発明の形態を図面を参照して説明する。
【００１６】
図１に於いてＡは二室容器を、Ｂは二室容器Ａの混合装置をそれぞれ示す。
【００１７】
二室容器Ａは、本体部A1と、中栓A2と、固定枠A3と、針装着部材A4と、キャップA5と、第１可動壁A6と、第２可動壁A7とを備えている。
【００１８】
本体部A1は、円筒状の内周壁10と、円筒状の外周壁11とを、下端に嵌着した連結筒部材12により嵌合連結し一体化している。また、内周壁10の上下方向中間部所定位置には、上下所定幅を外方へ凹ませた（膨出させた）連通凹部13を形成しており、内周壁10の上端部は縮径した縮径部10a を形成している。また、外周壁11外面下部の対向位置には一対の係合突起14を突設している。
【００１９】
中栓A2は、柔軟で弾力性に富む材質で形成され、周縁部を縮径部10a 上面に載置して縮径部10a 上端開口を閉塞する蓋板部20を備え、蓋板部20の裏面から垂設したシール筒21を縮径部10a 内周に液密に嵌合させて構成している。
【００２０】
固定枠A3は、中栓A2を縮径部に固定する役割を果たす。固定枠A3は、縮径部10a 外周に密嵌した周壁部25の上端より蓋板部20の上面周縁部を押圧するフランジ部26を延設しており周壁部25の外周に螺条を周設している。
【００２１】
針装着部材A4は、周壁部25の外周に螺着した螺筒30の上端より頂板31を延設し、頂板31中央に金属製の針32を嵌着固定しており、固定枠A3に装着する際に、針32の下部を中栓A2の蓋板部20を貫通させて、混合物の注出が可能に構成している。
【００２２】
キャップA5は、針装着部材A4に対して着脱可能に装着している。
【００２３】
第１可動壁A6と第２可動壁A7とは、図１に示す如く、所定の間隔をあけて内周壁10内面にその外周縁をそれぞれ液密摺動可能に嵌合させており、第１可動壁A6と第２可動壁A7との間に第１収容室R1を画成し、第２可動壁A7の上方に第２収容室R2を画成している。第２可動壁A7は連通凹部13より下方所定位置に嵌合されており、言い換えれば連通凹部13は第２可動壁A7より上方所定位置に凹設されている。また、第２可動壁A7周縁部の縦幅は、連通凹部13の縦幅より小さく、第２可動壁A7が連通凹部13の上下中間部分に差し掛かった際に上下が連通する如く構成している。
【００２４】
混合装置Ｂは、台座B1と、筒状基体B2と、押圧体B3とを備えている。
【００２５】
台座B1は下方にテ−パ状に広がる下部側壁50の上端縁より内方へフランジ状の下部頂板51延設し、下部頂板51の内周縁より円筒状の上部側壁52を起立し、上部側壁52の上端縁より内方へフランジ状の上部頂板53を延設しており、上部頂板53の内周縁より上方に案内筒54を起立している。また、案内筒54には対向位置に一対の縦切溝55を縦設している。各縦切溝55は案内筒54の上端より下端部近傍位置までの長さを有している。更に、上部側壁52の外周上端部には筒状基体B2の抜け出しの防止を図る係止突条56を突周設している。
【００２６】
筒状基体B2は、下部筒状基体B2a と、上部筒状基体B2b の２部材で構成している。下部筒状基体B2a は、案内筒54外周に回転可能に嵌合させた下部周壁部60の下端部を大径部60a に形成し、大径部60a 内面に突設した係合突条61を台座B1の係止突条56に乗り越え係合させて上方への抜け出しを防止して回転可能に装着している。また、下部周壁部60の内面には螺旋溝62を凹設しており、下部周壁部60の上端縁より内方へ延設した環状の係止突部63を案内筒54上面に相互の回転が可能に嵌合して各縦切溝55の上端を閉塞している。更に、下部周壁部60の上面内周縁より上方へ嵌合筒64を起立している。
【００２７】
上部筒状基体B2b は、嵌合筒64外周に上部周壁部70の下部を嵌着固定し、また、上部周壁部70の上部は小径部70a に形成し、小径部70a の対向する部位に、内部を上記係合突起14が挿通する挿通路71とした膨出部72を形成している。小径部70a の内径部分は、二室容器Ａの下部外径と略同じかやや大きく構成されて二室容器Ａの下部が挿通可能であり、また嵌合可能に構成され、その際、二室容器Ａの各係合突起14が各挿通路71を通って下降し、最下降位置で二室容器Ａを上部周壁部70に対して相対回動させると、各小径部70a 下面が形成する下向き段部73に各係合突起14が係合して二室容器Ａの上方への抜け出しを防止する如く構成している。
【００２８】
押圧体B3は、先端を縦切溝55を介して螺旋溝62に嵌合させた摺動突部80を、対向する位置より一対突設した筒状基部81を備え、筒状基部81の上端縁よりフランジ82を介して上端閉塞の押圧筒部83を起立している。台座B1と筒状基体B2とを相対回転することで、押圧体B3は摺動突部80が縦切溝55により案内筒54との回転が防止され、また、筒状基体B2は案内筒54に対する相対上下動を防止されているため、摺動突部80が螺旋溝62に沿って上昇するとともに、摺動突部80が縦切溝55に沿って上昇し、案内筒54に対して押圧体B3が上昇することとなる。
【００２９】
図１は、二室容器Ａを混合装置Ｂに装着した状態を示し、この状態から台座B1及び筒状基体B2外周を掴んで相互に回転させると、上記した如く押圧体B3が上昇し、上昇した押圧筒部83は第１可動壁A6を押し上げ、それに伴って、第１収容室R1内の内容物が第２可動壁A7を押圧して押し上げる。そして、第２可動壁A7が連通凹部13に差し掛かった際に第１収容室R1内の内容物が第２可動壁A7の外周を通り、第２収容室R2内に導入される。さらに押圧体B3を上昇させると図３に示す如く、第１可動壁A6が第２可動壁A7の下面に当接するまで上昇し、第１収容室R1内の内容物が第２収容室R2内に移行し第２収容室R2の収容物と混合する。
【００３０】
次いで、筒状基体B2に対して二室容器Ａを所定角度回動させることで、各係合突起14を各挿通路71の下方位置に回動させた後、上方へ引き上げれば、図４に示す如く、二室容器Ａを混合装置Ｂから簡単に取り外すことができる。その後、台座B1と筒状基体B2を先程とは逆に相互の回転をさせると、押圧体B3は下降してもとの状態に戻る。
【００３１】
新たな二室容器Ａを装着する場合には、図５に示す如く、各係合突起14を挿通路71に挿通させて二室容器Ａを押し込み、最下降位置で混合装置Ｂに対して二室容器Ａを回動させて、下向き段部73に係合突起14を係合させれば良い。
【００３２】
尚、上記各部材を形成する材質は特に限定されないが、合成樹脂を好ましく採用できる。
【符号の説明】
【００３３】
Ａ…二室容器
A1…本体部
10…内周壁，10a …縮径部，11…外周壁，12…連結筒部材，13…連通凹部，
14…係合突起
A2…中栓
20…蓋板部，21…シール筒
A3…固定枠
25…周壁部，26…フランジ部
A4…針装着部材
30…螺筒，31…頂板，32…針
A5…キャップ
A6…第１可動壁
A7…第２可動壁
R1…第１収容室
R2…第２収容室
Ｂ…混合装置
B1…台座
50…下部側壁，51…下部頂板，52…上部側壁，53…上部頂板，54…案内筒，
55…縦切溝，56…係止突条
B2…筒状基体
B2a …下部筒状基体
60…下部周壁部，60a …大径部，61…係合突条，62…螺旋溝，63…係止突部，
64…嵌合筒
B2b …上部筒状基体
70…上部周壁部，70a …小径部，71…挿通路，72…膨出部，73…下向き段部
B3…押圧体
80…摺動突部，81…筒状基部，82…フランジ，83…押圧筒部
【図１】
2010254357.tif 000003
【図２】
2010254357.tif 000004
【図３】
2010254357.tif 000005
【図４】
2010254357.tif 000006
【図５】
2010254357.tif 000007